(57)【要約】【課題】製造が容易であり、且つ、蓋のコーナーを適切に保護しつつ蓋と載置面に隙間が生じることを低減することが可能な蓋を提供する。【解決手段】本発明によれば、開口部を覆う蓋であって、本体と、前記本体のコーナーを保護するコーナー材を備え、前記本体及び前記コーナー材は、互いに異なる素材で形成される、蓋が提供される。【選択図】図１４
2018183504.tif 000002
【特許請求の範囲】
【請求項１】
開口部を覆う蓋であって、
本体と、前記本体のコーナーを保護するコーナー材を備え、
前記本体及び前記コーナー材は、互いに異なる素材で形成される、蓋。
【請求項２】
前記コーナー材の少なくとも一部はエラストマーで形成される、請求項１に記載の蓋。
【請求項３】
前記蓋の載置時に前記本体の底面と前記コーナー材の底面が互いに同一平面になるように構成される、請求項１又は請求項２に記載の蓋。
【請求項４】
前記本体は、基部と、前記基部から突出する取付部を備え、
前記コーナー材は、前記取付部に装着される、請求項１〜請求項３の何れか１つに記載の蓋。
【請求項５】
前記取付部は、前記本体の厚さ方向に突出する突起を備える、請求項４に記載の蓋。
【請求項６】
前記コーナー材は、前記取付部への装着時に前記突起により変形するように構成される、請求項５に記載の蓋。
【請求項７】
前記突起は、前記本体に設けられたアームに設けられる、請求項５又は請求項６に記載の蓋。
【請求項８】
前記取付部は、前記基部から突出する突出部と、前記突出部に装着された取付部材によって構成され、
前記突起は、前記取付部材に設けられる、請求項５〜請求項７の何れか１つに記載の蓋。
【請求項９】
前記取付部材は、前記突出部の少なくとも一部を収容するように前記突出部に装着される、請求項８に記載の蓋。
【請求項１０】
前記コーナー材は、前記取付部材の少なくとも一部を収容し、且つその端面が前記基部に接触するように装着される、請求項８又は請求項９に記載の蓋。
【発明の詳細な説明】
【技術分野】
【０００１】
本発明は、開口部を覆う蓋に関するものである。
【背景技術】
【０００２】
特許文献１には、蓋本体の周縁部にエッジプロテクターを取付け、当該エッジプロテクターが浴槽のフランジ部の上面に当接するようになっている浴槽用蓋において、前記エッジプロテクターの外周部に、浴槽の上面形状に対応して自在に変形が可能な合成樹脂製チューブ体を形成し、当該合成樹脂製チューブ体を施蓋の際に浴槽のフランジ部の上面に当接させるようにしたことを特徴とする浴槽用蓋が開示されている。
【先行技術文献】
【特許文献】
【０００３】
【特許文献１】特開２００８−２２８８５１号公報
【発明の開示】
【発明が解決しようとする課題】
【０００４】
特許文献１に開示される蓋は、蓋本体の周縁部を保護しつつ、施蓋状態において浴槽本体との間に隙間が生ずることを防止できる。しかし、浴槽の上面形状に対応して自在に変形が可能な合成樹脂製チューブ体を設けることにより、製造に工数がかかる。
【０００５】
本発明はこのような事情に鑑みてなされたものであり、製造が容易であり、且つ、蓋のコーナーを適切に保護しつつ蓋と載置面に隙間が生じることを低減することが可能な蓋を提供するものである。
【課題を解決するための手段】
【０００６】
本発明によれば、開口部を覆う蓋であって、本体と、前記本体のコーナーを保護するコーナー材を備え、前記本体及び前記コーナー材は、互いに異なる素材で形成される、蓋が提供される。
【０００７】
本発明に係る蓋１は、本体２と、本体２のコーナー２２を保護するコーナー材３を備える。そして、本体２とコーナー材３は、互いに異なる素材で形成される。これにより、コーナー材３により適切に本体２のコーナー２２を保護することができるとともに、コーナー材３と載置面の摩擦力により、蓋１が載置面と滑ることを低減することができる。
【０００８】
以下、本発明の種々の実施形態を例示する。以下に示す実施形態は互いに組み合わせ可能である。
好ましくは、前記コーナー材の少なくとも一部はエラストマーで形成される。
好ましくは、前記蓋の載置時に前記本体の底面と前記コーナー材の底面が互いに同一平面になるように構成される。
好ましくは、前記本体は、基部と、前記基部から突出する取付部を備え、前記コーナー材は、前記取付部に装着される。
好ましくは、前記取付部は、前記本体の厚さ方向に突出する突起を備える。
好ましくは、前記コーナー材は、前記取付部への装着時に前記突起により変形するように構成される。
好ましくは、前記突起は、前記本体に設けられたアームに設けられる。
好ましくは、前記取付部は、前記基部から突出する突出部と、前記突出部に装着された取付部材によって構成され、前記突起は、前記取付部材に設けられる。
好ましくは、前記取付部材は、前記突出部の少なくとも一部を収容するように前記突出部に装着される。
好ましくは、前記コーナー材は、前記取付部材の少なくとも一部を収容し、且つその端面が前記基部に接触するように装着される。
【図面の簡単な説明】
【０００９】
【図１】図１は本発明の本実施形態に係る蓋１の斜視図である。
【図２】図２からコーナー材３を取り除いた状態を表す斜視図であり、基体２５（基部２１＋突出部２３）に取付部材４１を装着した状態を表す。
【図３】蓋１を構成する本体２、コーナー材３、取付部４（突出部２３＋取付部材４１）の上方から見た分解斜視図である。
【図４】図３に対応する図であり、蓋１を構成する本体２、コーナー材３、取付部４（突出部２３＋取付部材４１）の下方から見た分解斜視図である。
【図５】図５Ａ及び図５Ｂは、突出部２３周辺の上面斜視図及び下面斜視図である。
【図６】本体２の斜視図である。
【図７】図７Ａ及び図７Ｂは、取付部材４１の斜視図であり、図７Ｃは上側スリット４７の中点を通る断面である。
【図８】取付部材４１を図３の矢印Ｘに方向から見た図である。
【図９】コーナー材３の斜視図である。
【図１０】図１０Ａは突出部２３に取付部材４１を装着した様子を表す断面斜視図である。図１０Ｂは取付部材４１にコーナー材３を装着した様子を表す断面斜視図である。
【図１１】基部２１に取付部材４１及びコーナー材３を装着した状態における、図１の平面ＺをＵＬ方向から見た断面図である。
【図１２】図１１の領域Ａの部分拡大図である。
【図１３】図１１に相当する図であり、本体２を載置面１０に置いた状態における断面図である。
【図１４】図１３の領域Ａの部分拡大図である。
【発明を実施するための形態】
【００１０】
以下、本発明の実施形態について説明する。以下に示す実施形態中で示した各種特徴事項は、互いに組み合わせ可能である。また、各特徴について独立して発明が成立する。
【００１１】
１．蓋１
以下、図１〜図１４を用いて、本発明の本実施形態に係る蓋１について説明する。本実施形態に係る蓋１は、開口部を覆う蓋であり、例えば浴槽を覆う風呂蓋である。図１〜図４に示すように、本実施形態では、蓋１は、本体２と、本体２のコーナー２２を保護するコーナー材３を備える。
【００１２】
ここで、一般的な風呂蓋は、浴槽の温度（風呂蓋内面側）と浴室の温度（風呂蓋外面側）との温度差により、風呂蓋に反りが生じる場合がある。かかる反りは、特に角部において生じやすい。そして、風呂蓋の反りに伴い、風呂蓋と浴槽の載置面に隙間が生じ、浴槽の温度が低下してしまう。本実施形態に係る蓋１は、蓋と載置面に隙間が生じることを低減することを目的の１つとするものである。
【００１３】
２．本体２
図１〜図４に示すように、本体２は、基体２５と取付部材４１により構成される。本体２の素材及び形状は特に限定されず、浴槽に合わせて任意の素材及び形状とすることができる。本体２は、樹脂成形体であることが好ましく、真空成形体であることがさらに好ましい。本実施形態では、本体２を構成する原料樹脂は、例えばポリオレフィン等の熱可塑性樹脂であり、ポリオレフィンとしては、低密度ポリエチレン、直鎖状低密度ポリエチレン、高密度ポリエチレン、ポリプロピレン、エチレン−プロピレン共重合体及びその混合物等が挙げられる。また、添加剤を含有してもよい。添加剤としては例えば、シリカ、マイカ、タルク、炭酸カルシウム、ガラス繊維、カーボン繊維等の無機フィラー、可塑剤、安定剤、着色剤、帯電防止剤、難燃剤、発泡剤等が挙げられる。具体的には例えば、シリカ、マイカ、ガラス繊維等を成形樹脂に対して５０ｗｔ％以下、好ましくは３０〜４０ｗｔ％添加する。
【００１４】
２−１．基体２５
本実施形態では、図２に示すように、基体２５は、基部２１と突出部２３により構成される。また、
図１１〜図１４に示すように、基体２５は中空体であり、その内部に発泡材５が挿入される。発泡材５の材質は特に限定されないが、基体２５と同じ材質とすることが好ましい。これは、基体２５と発泡材５を同じ材質とすることにより熱溶着が生じ、溶剤等を用いることなく２つの部材を接着させることができるためである。また、発泡材５の発泡倍率は１０〜３０倍であり、好ましくは１５〜２０％である。なお、発泡材５の発泡倍率はこれらに限定されず、剛性及び断熱性を考慮して適宜選定することができる。また、発泡材５は、添加剤を含有してもよい。添加剤としては、シリカ、マイカ、タルク、炭酸カルシウム、ガラス繊維、カーボン繊維等の無機フィラー、可塑剤、安定剤、着色剤、帯電防止剤、難燃剤、発泡剤等が挙げられる。なお、発泡材５は必須ではなく、設計思想に応じて適宜省略することができる。
【００１５】
３．基部２１及び取付部４
図１〜図４に示すように、本体２は、基体２５（基部２１＋突出部２３）と、基部２１から突出する取付部４を備える。基部２１は、略平板状の部材である。ここで、図１０Ａに示すように、本実施形態では、取付部４は、基部２１から突出する突出部２３と、突出部２３に装着された取付部材４１によって構成される。したがって、本実施形態では、コーナー材３は、取付部４に装着されるということができる。なお、本実施形態では、本体２のコーナー２２は、突出部２３近傍を含むものである。
【００１６】
図５Ａ及び図５Ｂに示すように、突出部２３は、平面視において突出端２３６を頂点とする略三角形である。また、突出部２３の上面には、後述する取付部材４１の上側爪４４と係合する上側係合部２３１が設けられる。また、突出部２３の下面には、後述する取付部材４１の下側爪４５と係合する下側係合部２３２が設けられる。そして、図６に示すように、基部２１から突出するように突出部２３が設けられる。突出部２３は、基部２１に形成された２つの側壁２３４の間に位置し、上下の傾斜２３３を経て立設壁面２３５に接続される。突出部２３の厚さは特に限定されないが、基部２１の厚さＤ１の１／２以上であることが好ましい。「突出部２３の厚さ／基部２１の厚さＤ１」の値は、具体的には例えば、０．５、０．６、０．７、０．８、０．９であり、ここで例示した数値の何れか２つの間の範囲内であってもよい。ここで、突出部２３の厚さを小さくしすぎると、取付部材４１及びコーナー材３と基部２１の係合が弱くなるため、適宜設計することが好ましい。また、安定性の観点から、突出部２３の厚さ方向の中点と、基部２１の厚さＤ１方向の中点が略同一となるように構成されることが好ましい。
【００１７】
次に、取付部材４１について説明する。取付部材４１は、例えば射出成形により形成されるプラスチックの部材である。取付部材４１は、本実施形態では、図７Ａ〜図７Ｃに示すように、平面視において突出端４１１を頂点とする略三角形の部材である。取付部材４１は、内部に突出部２３の少なくとも一部を収容する収容空間４０を備える。また、収容空間４０の内壁は、突出部２３の突出端２３６に沿った形状である。
【００１８】
また、取付部材４１の上面には、突出部２３の上側係合部２３１と係合する上側爪４４が設けられる。具体的には、上側爪４４は、取付部材４１の上面に形成された２つの上側スリット４７の間に形成される上側アーム４７ａに設けられる。上側爪４４は、上側アーム４７ａの底面から収容空間４０の内部に向けて形成されるものであり、側面視において略三角形である（図１１〜図１４参照）。かかる構成とすることで、取付部材４１を突出部２３に装着する際に、上側アーム４７ａごと図７Ａの上方向に変形することにより、取付部材４１を突出部２３に装着しやすくしている。
【００１９】
また、取付部材４１には、上側爪４４と対向するように、２つの下側爪４５が設けられる。下側爪４５は、取付部材４１の底面から収容空間４０の内部に向けて形成されるものであり、側面視において略三角形である（図１１〜図１４参照）。下側爪４５はそれぞれ、突出部２３の下側係合部２３２の両端にはめ込まれることにより、突出部２３と係合するものである。
【００２０】
かかる構成により、取付部材４１は、上側爪４４及び下側爪４５を突出部２３の上側係合部２３１及び下側係合部２３２に係合させることにより、突出部２３の少なくとも一部を収容するように突出部２３に装着される。
【００２１】
また、取付部材４１には、収容空間４０内部の底面に、略半円弧状のアームスリット４６が形成される。これにより、アームスリット４６の内側にアーム４３が形成される。そして、アーム４３の底面（取付部材４１の外側の面）に、本体２（基部２１）の厚さＤ１方向に突出する突起４２が形成される。ここで、本実施形態では、本体２は、基体２５（基部２１＋突出部２３）と取付部４（取付部材４１＋突出部２３）により構成される。このため、取付部４は、本体２の厚さＤ１方向に突出する突起４２を備えるということができる。また、取付部４も本体２の一部であるので、突起４２は、本体２に設けられたアーム４３に設けられるということができる。
【００２２】
図８に示すように、突起４２の高さＤ３は特に限定されないが、１ｍｍ〜３０ｍｍが好ましい。具体的には例えば、１、２、３、４、５、６、７、８、９、１０、１１、１２、１３、１４、１５、１６、１７、１８、１９、２０、２１、２２、２３、２４、２５、２６、２７、２８、２９、３０ｍｍであり、ここで例示した数値の何れか２つの間の範囲内であってもよい。
【００２３】
また、取付部材４１の高さＤ２／Ｄ３の比の値は特に限定されないが、２〜５０が好ましい。具体的には例えば、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４１、４２、４３、４４、４５、４６、４７、４８、４９、５０であり、ここで例示した数値の何れか２つの間の範囲内であってもよい。
【００２４】
さらに、取付部材４１の側壁における突出端２３６に相当する箇所と、側壁及び底面４９を連結する斜面には、開口部４８がそれぞれ１つ及び２つずつ設けられる。本実施形態では、かかる開口部４８が略三角形の頂点上に配置される。また、取付部材４１の側壁における突出端２３６に相当する箇所に設けられる開口部４８は、幅方向の長さが他の開口部４８も長く設定されている。かかる開口部４８は、取付部材４１を突出部２３に装着する際において、取付部材４１を適切に変形させるためのものであり、必要に応じて省略してもよい。
【００２５】
４．コーナー材３
コーナー材３は、本体２のコーナー２２を保護するものであり、例えば、コーナー材３の少なくとも一部はエラストマーにより形成される。ここで、エラストマーとは、ゴム弾性を有する材料である。コーナー材３がエラストマーで形成されることにより、本体２のコーナー２２を適切に保護することができる。なお、本実施形態では、図１に示される２つのコーナー２２に着目して説明しており、他のコーナーについては議論しない。
【００２６】
ここで、エラストマーとしては、具体的には例えば、エチレン−プロピレン共重合体（ＥＰＲ）、エチレン−プロピレン−ジエン共重合体（ＥＰＤＭ）、エチレン−ブテン共重合体等のオレフィン系エラストマー、スチレンとブタジエンの共重合体から成るＳＢＲ等のスチレン系エラストマー、シリコン系エラストマー、ニトリル系エラストマー、アクリレート系エラストマー、ブタジエン系エラストマー、ウレタン系エラストマー、ナイロン系エラストマー、エステル系エラストマー、フッ素系エラストマー、及びこれらのエラストマーの共重合体や、これらに反応部位（二重結合、無水カルボキシル基等）を導入した変性物等が挙げられる。特に、コスト、成形性、耐候性、耐水性、耐酸・アルカリ性に優れ、軽量であるオレフィン系エラストマーが好ましい。
【００２７】
オレフィン系エラストマーとしては、具体的には例えば、ポリブタジエン、ポリイソプレン、スチレン−ブタジエンのランダム共重合体及びブロック共重合体、ブロック共重合体の水素添加物、ブタジエン−イソプレン共重合体等のジエン系エラストマー、エチレン−プロピレンのランダム共重合体及びブロック共重合体、エチレン−ブテンのランダム共重合体及びブロック共重合体、エチレンとα−オレフィンとの共重合体、エチレン−酢酸ビニル等のエチレンと脂肪酸ビニルとの共重合体、エチレン−プロピレン−ヘキサジエン共重合体等のエチレン−プロピレン非共役ジエン３元共重合体、ブチレン−イソプレン共重合体、塩素化ポリエチレン等が好ましい。ここで、エラストマーに公知の改質剤や添加剤を配合しても良い。
【００２８】
さらに、ポリオレフィン系エラストマーのデュロ硬度Ａは、外観と防傷性とのバランスの点から、ＪＩＳ  Ｋ６２５３に準拠して、５３〜８５、好ましくは５４〜８３、さらに好ましくは５５〜８１である。また、防傷性の点から、５５〜７０、好ましくは５７〜７０、さらに好ましくは６０〜７０である。また、ポリオレフィン系エラストマーの曲げ弾性率は、突起４２による変形性の点から、ＡＳＴＭＤ７９０に準拠して、５００ＭＰａ以下、好ましくは２００ＭＰａ以下である。
【００２９】
図９に示すように、コーナー材３は、平面視において突出端３７を頂点とする略三角形の部材である。コーナー材３は、内部に取付部材４１の少なくとも一部を収容する収容空間３６を備える。また、収容空間３６の内壁は、取付部材４１の突出端４１１に沿った形状である。
【００３０】
また、図９、図１０Ａ及び図１０Ｂに示すように、コーナー材３の上面には、取付部材４１の上側爪４４並びに突出部２３の傾斜２３３及び立設壁面２３５により形成される空間内の壁面と係合する上側爪３４が設けられる。上側爪３４は、コーナー材３の上面から収容空間３６の内部に向けて形成されるものであり、側面視において略四角形である（図１１〜図１４参照）。
【００３１】
また、コーナー材３には、上側爪３４と対向するように、下側爪３５が設けられる。また、下側爪３５は、コーナー材３の底面から収容空間３６の内部に向けて形成されるものであり、側面視において略四角形である（図１１〜図１４参照）。下側爪３５は、上側爪３４と同様に、取付部材４１の下側爪４５並びに突出部２３の傾斜２３３及び立設壁面２３５により形成される空間内の壁面と係合するものである。
【００３２】
以上説明した種々の部材により、本実施形態に係る蓋１が構成される。具体的には、図１０Ａに示すように、突出部２３の少なくとも一部を収容するように、取付部材４１を突出部２３に装着する。そして、図１０Ｂに示すように、取付部材４１の少なくとも一部を収容するように、コーナー材３を取付部材４１に装着する。このとき、コーナー材３の端面３３が基部２１に接触するように、コーナー材３が取付部材４１に装着される。
【００３３】
このように、本体２とコーナー材３の間に取付部材４１を設けているのは、本体２とコーナー材３の係合強度を担保するためである。すなわち、取付部材４１を設けない場合には、本実施形態ではコーナー材３がエラストマーであるので、本体２からコーナー材３が外れやすくなるためである。
【００３４】
５．蓋１の載置時における変形
次に、蓋１を載置面１０に載置した状態における蓋１の変形について、図１１〜図１４を用いて説明する。図１１は、基部２１に取付部材４１及びコーナー材３を装着した状態における、図１の平面ＺをＵＬ方向から見た断面図である。また、図１２は、図１１の領域Ａの部分拡大図である。
【００３５】
図１２に示すように、基部２１に取付部材４１及びコーナー材３を装着した状態では、突起４２が本体２の内側からコーナー材３の底面３２を押圧することにより、底面３２の一部（変形箇所３１）が突起４２の外側に向けて変形する。つまり、本実施形態では、コーナー材３は、取付部４への装着時に、突起４２により変形するように構成される。本実施形態では、取付部材４１をプラスチック、コーナー材３をプラスチックよりも柔らかいエラストマーで形成することにより、変形箇所３１が突起４２の外側に向けて突出するように蓋１を構成している。
【００３６】
そして、図１３及び図１４に示すように、蓋１を載置面１０に載置した状態において、本体２の底面２４とコーナー材３の底面３２が互いに同一平面となるように構成される。これは、蓋１の自重により、側面視における点Ｐ２を起点とし、アーム４３が屈曲変形しつつ本体２の内側に押し込まれ、かかる屈曲変形における復元力により、コーナー材３が側面視における点Ｐ１周辺で弾性変形するためである。
【００３７】
本実施形態に係る蓋１を風呂蓋として利用する場合、浴室の温度差により蓋１が上方に反った場合でも、コーナー材３が下方に突出した状態（図１２参照）となるので、蓋１と載置面１０に隙間が生じることを低減できる。
【００３８】
以上説明したように、本実施形態によれば、蓋１を容易に製造でき、且つ、蓋１（本体２）のコーナー２２を適切に保護しつつ蓋１と載置面１０に隙間が生じることを低減することが可能となる。
【００３９】
＜その他＞
本発明は、これらに限定されず、以下の態様とすることもできる。
・取付部材４１を省略し、突出部２３の底部に突起４２を設ける。この場合、アームスリット４６は後加工により形成する。
・取付部材４１を省略し、本体２にコーナー材３を溶着する。
・突起４２の形状を、載置面１０と接触する箇所の径を大きくしたアーム形状とする。
・突起４２を２つ以上設ける。
・本体２を射出成形により形成する。
・取付部材４１及びコーナー材３の装着方法は特に限定されず、挟着、溶着、嵌合等、種々の方法で実現することができる。
【符号の説明】
【００４０】
１：蓋
２：本体
２１：基部
２２：コーナー
２３：突出部
２３１：上側係合部
２３２：下側係合部
２３３：傾斜
２３４：側壁
２３５：立設壁面
２４：底面
２５：基体
３：コーナー材
３１：変形箇所
３２：底面
３３：端面
３４：上側爪
３５：下側爪
３６：収容空間
３７：突出端
４：取付部
４０：収容空間
４１：取付部材
４２：突起
４３：アーム
４４：上側爪
４５：下側爪
４６：アームスリット
４７：上側スリット
４８：開口部
４９：底面
４１１：突出端
５：発泡材
１０：載置面
【図１】
2018183504.tif 000003
【図２】
2018183504.tif 000004
【図３】
2018183504.tif 000005
【図４】
2018183504.tif 000006
【図５】
2018183504.tif 000007
【図６】
2018183504.tif 000008
【図７】
2018183504.tif 000009
【図８】
2018183504.tif 000010
【図９】
2018183504.tif 000011
【図１０】
2018183504.tif 000012
【図１１】
2018183504.tif 000013
【図１２】
2018183504.tif 000014
【図１３】
2018183504.tif 000015
【図１４】
2018183504.tif 000016